(57)【要約】【課題】一定の入力電流に対して容易にインダクタンスを変化させることのできるチョークコイルを提供するものである。【解決手段】軸芯１１の両端に鍔１２を有したドラム状コア１３と、ドラム状コア１３の外周表面に巻回した巻線１４と、ドラム状コア１３の軸芯１１に磁界を発生させる電磁石１５と、ドラム状コア１３を上方に載置した端子台１７と、この端子台１７に植設するとともに、巻線１４と電気的接続をした端子１８とを備え、電磁石１５はドラム状コア１３の一方の鍔１２を一磁脚とする閉磁路磁芯１９に、電磁石用巻線１６を巻回して形成している。【選択図】　図１
2004087891.tif 000002
【特許請求の範囲】
【請求項１】
軸芯の両端に鍔を有したドラム状コアと、前記ドラム状コアの外周表面に巻回した巻線と、前記ドラム状コアの軸芯に磁界を発生させる電磁石と、前記ドラム状コアを上方に載置した端子台と、前記端子台に植設するとともに、前記巻線と電気的接続をした端子とを備え、前記電磁石は、前記ドラム状コアの一方の鍔を一磁脚とする閉磁路磁芯に、電磁石用巻線を巻回して形成したチョークコイル。
【請求項２】
閉磁路磁芯は、ドラム状コアの一方の鍔からなる一磁脚の断面積を他の磁脚の断面積よりも小さくした請求項１に記載のチョークコイル。
【発明の詳細な説明】
【０００１】
【発明の属する技術分野】
本発明は、各種電子機器等に用いるチョークコイルに関するものである。
【０００２】
【従来の技術】
以下、従来のチョークコイルについて図面を参照しながら説明する。
【０００３】
図５は従来のチョークコイルの断面図、図６は同チョークコイルの斜視図、図７は同チョークコイルの特性波形図である。
【０００４】
図５、図６において、従来のチョークコイルは、軸芯１の両端に鍔２を有したドラム状コア３と、このドラム状コア３の外周表面に巻回した巻線４と、ドラム状コア３を上方に載置した端子台５と、端子台５に植設するとともに、巻線４と電気的接続をした端子６とを備えている。
【０００５】
このとき、チョークコイルの特性波形図は図７に示すようになり、入力電流に対して特定波形（Ａ）が得られる。
【０００６】
【発明が解決しようとする課題】
上記従来の構成では、一定の入力電流に対してインダクタンスを変化させることができず、異なるインダクタンスを得るためには巻線の巻回数を変えたり、複数のチョークコイルやコンデンサを用いてマルチ周波数に対応させる等、使い勝手が悪いという問題点を有していた。
【０００７】
本発明は上記問題点を解決するもので、一定の入力電流に対して容易にインダクタンスを変化させることのできるチョークコイルを提供するものである。
【０００８】
【課題を解決するための手段】
上記目的を達成するために本発明は、以下の構成を有する。
【０００９】
本発明の請求項１記載の発明は、特に、電磁石は、ドラム状コアの一方の鍔を一磁脚とする閉磁路磁芯に、電磁石用巻線を巻回して形成した構成である。
【００１０】
上記構成により、電磁石によって発生した磁束はドラム状コアの一方の鍔を通過するが、電磁石用巻線に通電する通電量を制御すれば、この鍔を通過する磁束量が変化する。つまり、電磁石によってドラム状コアの一方の鍔を通過する磁束量を変化させて、この鍔における磁気抵抗を制御し、この磁気抵抗の度合に応じてインダクタンスを制御することができる。
【００１１】
特に、ドラム状コアによって発生する磁束と、電磁石によって発生する磁束は、ドラム状コアの一方の鍔において垂直に交差するので、互いの磁束がほとんど影響し合わないので、磁束の干渉による特性劣化を抑制できる。
【００１２】
本発明の請求項２記載の発明は、特に、閉磁路磁芯は、ドラム状コアの一方の鍔からなる一磁脚の断面積を他の磁脚の断面積よりも小さくした構成である。
【００１３】
上記構成により、電磁石用巻線に通電する通電量を少なくして磁気抵抗を制御しても、インダクタンスを容易に制御できる。
【００１４】
【発明の実施の形態】
以下、一実施の形態を用いて、本発明の全請求項に記載の発明について図面を参照しながら説明する。
【００１５】
図１は本発明の一実施の形態におけるチョークコイルの断面図、図２は同チョークコイルの斜視図、図３は同チョークコイルに発生する磁束の流れを示す断面図、図４は同チョークコイルの特性波形図である。
【００１６】
図１、図２において、本発明の一実施の形態におけるチョークコイルは、軸芯１１の両端に鍔１２を有したドラム状コア１３と、ドラム状コア１３の外周表面に巻回した巻線１４と、ドラム状コア１３の軸芯１１に磁界を発生させる電磁石１５と、ドラム状コア１３を上方に載置した端子台１７と、この端子台１７に植設するとともに、巻線１４と電気的接続をした端子１８とを備えている。
【００１７】
電磁石１５はドラム状コア１３の一方の鍔１２を一磁脚とする閉磁路磁芯１９に、電磁石用巻線１６を巻回して形成している。この閉磁路磁芯１９はドラム状コア１３の一方の鍔１２からなる一磁脚の断面積を他の磁脚の断面積よりも小さくなるようにしている。
【００１８】
このとき、チョークコイルに発生する磁束は、図３に示すように、ドラム状コア１３に巻回した巻線１４によって発生する磁束（ａ）と電磁石１５によって発生する磁束（ｂ）とがドラム状コア１３の一方の鍔１２に重畳して流れている。
【００１９】
また、チョークコイルの特性波形図は図４に示すようになり、入力電流に対して、電磁石用巻線１６への通電量を変化させることにより、異なる特定波形（Ａ）〜（Ｈ）が得られている。電磁石用巻線１６に通電する通電量は、それぞれ、０（ｍＡ）、１００（ｍＡ）、２００（ｍＡ）、３００（ｍＡ）、４００（ｍＡ）、４５０（ｍＡ）、６００（ｍＡ）、７００（ｍＡ）としている。
【００２０】
上記構成により、電磁石１５によって発生した磁束はドラム状コア１３の一方の鍔１２を通過するが、電磁石用巻線１６に通電する通電量を制御すれば、この鍔１２を通過する磁束量が変化する。つまり、電磁石１５によってドラム状コア１３の一方の鍔１２を通過する磁束量を変化させて、この鍔１２における磁気抵抗を制御し、この磁気抵抗の度合に応じてインダクタンスを制御できる。
【００２１】
特に、ドラム状コア１３によって発生する磁束と、電磁石１５によって発生する磁束は、ドラム状コア１３の一方の鍔１２において垂直に交差するので、互いの磁束がほとんど影響し合わないので、磁束の干渉による特性劣化を抑制できる。
【００２２】
また、閉磁路磁芯１９は、ドラム状コア１３の一方の鍔１２からなる一磁脚の断面積を他の磁脚の断面積よりも小さくしているので、電磁石用巻線１６に通電する通電量を少なくして磁気抵抗を制御しても、インダクタンスを容易に制御できる。
【００２３】
【発明の効果】
以上のように本発明によれば、電磁石によってドラム状コアの一方の鍔を通過する磁束量を変化させて、この鍔における磁気抵抗を制御し、この磁気抵抗の度合に応じてインダクタンスを制御することができる。
【００２４】
よって、一定の入力電流に対して容易にインダクタンスを変化させることのできるチョークコイルを提供することができる。
【図面の簡単な説明】
【図１】本発明の一実施の形態におけるチョークコイルの断面図
【図２】同チョークコイルの斜視図
【図３】同チョークコイルに発生する磁束の流れを示す断面図
【図４】同チョークコイルの特性波形図
【図５】従来のチョークコイルの断面図
【図６】同チョークコイルの斜視図
【図７】同チョークコイルの特性波形図
【符号の説明】
１１　軸芯
１２　鍔
１３　ドラム状コア
１４　巻線
１５　電磁石
１６　電磁石用巻線
１７　端子台
１８　端子
１９　閉磁路磁芯
【図１】
2004087891.tif 000003
【図２】
2004087891.tif 000004
【図３】
2004087891.tif 000005
【図４】
2004087891.tif 000006
【図５】
2004087891.tif 000007
【図６】
2004087891.tif 000008
【図７】
2004087891.tif 000009